(57)【要約】【課題】セットされた磁気テープのログを単独で確認できる磁気記録再生装置を提供することを目的とする。【解決手段】セットされた磁気テープに記録されたテープログをステップＳ２で内蔵のメモリ手段に記録し、ログ表示の要求をステップＳ３で検出して前記メモリ手段からログデータを読み出してステップＳ４で表示する。【選択図】図７
2007048341.tif 000002
【特許請求の範囲】
【請求項１】
磁気テープのユ−ザーデータ記録エリアにデータを読み書きする磁気記録再生装置であって、
記録または再生可能にセットまたはストックされた磁気テープに記録されているテープログを読み込んで記憶するメモリ手段と、
テープログ表示の指示を検出して前記メモリ手段からテープログを読み出して表示する表示手段と
を設けた磁気記録再生装置。
【請求項２】
カートリッジにセットされた複数の磁気テープを共通のマガジンにセットして着脱するよう構成し、前記マガジンがセットされたことを検出して各カートリッジにセットされた磁気テープに記録されているテープログを前記メモリ手段に読み込んで記憶するよう構成した
請求項１記載の磁気記録再生装置。
【請求項３】
表示手段は、装着されたマガジンの各カートリッジセット収容スペースごとのカートリッジの有無を表示する表示パネルを有しており、テープログの表示モードでは指定されたカートリッジのテープログを前記表示パネルに表示するように構成した
請求項２記載の磁気記録再生装置。
【請求項４】
複数の表示器を近接して配置して前記表示パネルを構成し、テープログを表示していない通常表示モードでは前記複数の表示器の表示エリアにはマガジンの該当するカートリッジセット収容スペースのカートリッジの有無を表示し、前記複数の表示器の表示エリアのうちでカートリッジの有りを表示中の表示エリアが指定されたことを検出して通常表示モードからテープログ表示モードに切り替わって、テープログ表示モードでは、指定されたカートリッジのテープログ内容を前記複数の表示器の１つ以上の表示エリアにわたって表示するよう構成した
請求項３記載の磁気記録再生装置。
【請求項５】
複数の表示器をそれぞれ揺動自在に支持し、表示器の裏面側に前記揺動を検出するスイッチをそれぞれ配置した
請求項４記載の磁気記録再生装置。
【発明の詳細な説明】
【技術分野】
【０００１】
本発明は、データのバックアップなどに使用されている磁気記録再生装置に関するものである。
【背景技術】
【０００２】
コンピュータシステムに何らかの障害が発生した場合であってもデータ復旧ができるように、磁気テープにデータのバックアップを実行し、これをリストアすることが行われている。
【０００３】
データを磁気テープにバックアップする磁気記録再生装置（ＤＤＳテープストレージドライブ）は次のように構成されている。
ホストコンピュータのデータをバックアップする磁気記録再生装置は、ワークステーションに通信ラインを介して接続されている。磁気テープ品質を管理するために、データを記録するとともに磁気記録再生装置の側において、記録したデータを再生してエラーレートの平均値を算出し、算出したエラーレートの平均値が規定値になった場合には磁気記録再生装置に設けられた表示部に、磁気テープの劣化を示すメッセージを表示するように構成されている。
【特許文献１】特開平５−１５９４７９号公報
【発明の開示】
【発明が解決しようとする課題】
【０００４】
記録に使用した磁気テープの品質は、記録の直後に磁気記録再生装置の表示部の表示内容から確認できる。また、ホストからテープログ情報報告の要求コマンドを受け取った場合にホストへ報告するようになっている。
【０００５】
このように従来の構成では、複数の磁気テープを磁気記録再生装置にストックしておき、該当の磁気テープを取り出して記録再生する磁気記録再生装置の場合には、ストックさせた複数の磁気テープの全てのテープログを、ストックの直後に磁気記録再生装置だけでは確認することができない。また、このような場合には、テープログ情報を取得するための専用アプリケーションがホストコンピュータの側に必要となる。
【０００６】
本発明は、複数の磁気テープをストックしておき、該当の磁気テープを取り出して記録再生する場合に、セットまたはストックさせた複数の磁気テープの全てのテープログを、ストックの直後に単独で確認できる磁気記録再生装置を提供することを目的とする。
【課題を解決するための手段】
【０００７】
本発明の請求項１記載の磁気記録再生装置は、磁気テープのユ−ザーデータ記録エリアにデータを読み書きする磁気記録再生装置であって、記録または再生可能にセットまたはストックされた磁気テープに記録されているテープログを読み込んで記憶するメモリ手段と、テープログ表示の指示を検出して前記メモリ手段からテープログを読み出して表示する表示手段とを設けたことを特徴とする。
【０００８】
本発明の請求項２記載の磁気記録再生装置は、請求項１において、カートリッジにセットされた複数の磁気テープを共通のマガジンにセットして着脱するよう構成し、前記マガジンがセットされたことを検出して各カートリッジにセットされた磁気テープに記録されているテープログを前記メモリ手段に読み込んで記憶するよう構成したことを特徴とする。
【０００９】
本発明の請求項３記載の磁気記録再生装置は、請求項２において、表示手段は、装着されたマガジンの各カートリッジセット収容スペースごとのカートリッジの有無を表示する表示パネルを有しており、テープログの表示モードでは指定されたカートリッジのテープログを前記表示パネルに表示するように構成したことを特徴とする。
【００１０】
本発明の請求項４記載の磁気記録再生装置は、請求項３において、複数の表示器を近接して配置して前記表示パネルを構成し、テープログを表示していない通常表示モードでは前記複数の表示器表示エリアにはマガジンの該当するカートリッジセット収容スペースのカートリッジの有無を表示し、前記複数の表示器の表示エリアのうちでカートリッジの有りを表示中の表示エリアが指定されたことを検出して通常表示モードからテープログ表示モードに切り替わって、テープログ表示モードでは、指定されたカートリッジのテープログ内容を前記複数の表示器の１つ以上の表示エリアにわたって表示するよう構成したことを特徴とする。
【００１１】
本発明の請求項５記載の磁気記録再生装置は、請求項４において、複数の表示器をそれぞれ揺動自在に支持し、表示器の裏面側に前記揺動を検出するスイッチをそれぞれ配置したことを特徴とする。
【発明の効果】
【００１２】
この構成によれば、記録または再生可能にセットまたはストックされ磁気テープからテープログを読み込んでメモリ手段に記憶させることができるので、メモリ手段から必要な磁気テープのテープログを読み出して表示手段で表示することによって、セットまたはストックさせた複数の磁気テープの全てのテープログを、単独で確認できる。
【発明を実施するための最良の形態】
【００１３】
以下、本発明の各実施の形態を図１〜図９に基づいて説明する。
図１は、本発明による磁気記録再生装置を示す。
ワークステーションのサーバー用のデータバックをバックアップするための磁気記録再生装置１は、ワークステーション２にＳＣＳＩなどの通信ライン３を介して接続されている。
【００１４】
磁気記録再生装置１は制御手段４と回転形磁気ヘッド５を介して磁気テープ６にアクセスする再生手段７，記録手段８，入力手段１４，テープログ作成手段１５，表示手段１６などを内蔵している。具体的には、制御手段４と再生手段７，記録手段８の他に、図２に示すように、オートローダ９と、図３に示すように複数のカートリッジ１０がセットされるマガジン１１とで構成されている。マガジン１１は磁気記録再生装置１の着脱口１２から挿入されて前記オートローダ９にセットされる。この図ではマガジン１１には６巻のカートリッジ１０がセット可能である。
【００１５】
回転形磁気ヘッド５がアクセスする磁気テープ６は、ワークステーション２のバックアップアプリケーション１３からまたは磁気記録再生装置１の前面パネルから操作できるように設けられた入力手段１４から指定された特定カートリッジ１０が回転形磁気ヘッド５によってアクセスできるように前記オートローダ９が運転される。
【００１６】
前記入力手段１４は、図４に示すイジェクトスイッチＳＷ１０，選択ボタンスイッチＳＷ２０，入力ボタンスイッチＳＷ３０，および表示手段１６の表示パネルＤＰの背面に設けられた第１〜第６のスイッチＳＷ１〜ＳＷ６から構成されている。
【００１７】
図６（ａ）〜（ｃ）は表示パネルＤＰの詳細と第１〜第６のスイッチＳＷ１〜ＳＷ６の関係を示している。
表示パネルＤＰは、図６（ａ）に示すように上下に近接して配置された３枚の液晶表示器ＬＣＤ１〜ＬＣＤ３を有しており、液晶表示器ＬＣＤ１〜ＬＣＤ３は中央が支点３１によって左右方向に揺動自在に支持されている。
【００１８】
液晶表示器ＬＣＤ１の前記支点３１で仕切られた左側の背面には、液晶表示器ＬＣＤ１が左側に揺動したことを検出するように第１のスイッチＳＷ１が配置されている。液晶表示器ＬＣＤ１の前記支点３１で仕切られた右側の背面には、液晶表示器ＬＣＤ１が右側に揺動したことを検出するように第４のスイッチＳＷ４が配置されている。
【００１９】
同様に、液晶表示器ＬＣＤ２の前記支点３１で仕切られた左側の背面には、第２のスイッチＳＷ２が配置され、右側の背面には第５のスイッチＳＷ５が配置されている。液晶表示器ＬＣＤ３の前記支点３１で仕切られた左側の背面には、第３のスイッチＳＷ３が配置され、右側の背面には第６のスイッチＳＷ６が配置されている。
【００２０】
なお、液晶表示器ＬＣＤ１〜ＬＣＤ３は、操作されていない状態では第１〜第６のスイッチＳＷ１〜ＳＷ６が前記揺動の姿勢を検出しないように、緩衝材（図示せず）などで平行姿勢に付勢されている。
【００２１】
通常表示モードの制御手段４は、マガジン１１の第１〜第６のストック位置の全てにカートリッジ１０をセットして着脱口１２から挿入されたことを検出した場合には、液晶表示器ＬＣＤ１〜ＬＣＤ３に、図４に示すように“Ｔａｐｅ１”〜“Ｔａｐｅ６”の文字を表示させる。マガジン１１の第２，第６のストック位置にカートリッジ１０がセットされていない場合には、図５（ａ）に示すように液晶表示器ＬＣＤ２の左側と液晶表示器ＬＣＤ３の右側には、“Ｔａｐｅ２”“Ｔａｐｅ６”の文字を表示しないように構成されているので、マガジン１１のストック位置のカートリッジ１０の有無を確認できる。
【００２２】
ここではマガジン１１に６巻のカートリッジ１０がセットされており、表示パネルＤＰに図４に示すように“Ｔａｐｅ１”〜“Ｔａｐｅ６”の文字が表示中の状態を説明する。
この場合、マガジン１１を前記オートローダ９にセットすると、制御手段４は図７のフローチャートを実行する。
【００２３】
制御手段４がステップＳ１で第１のスイッチＳＷ１の操作を検出すると、マガジン１１から第１のストック位置のカートリッジ１０をオートローダ９にセットする。次いでステップＳ２では、セットされたカートリッジ１０からテープログを読み込んでメモリ手段３２に第１のストック位置のカートリッジ１０に対応させて記憶する。
【００２４】
ステップＳ３では、テープログ表示を指示するスイッチＳＷ３０が操作されたか判定して、操作されている場合にはステップＳ４ではメモリ手段３２からテープログを読み出して表示パネルＤＰに表示する。ステップＳ５ではテープログ表示の終了を指示するスイッチＳＷ１０が操作されたか判定して、操作されている場合にはステップＳ３に戻る。
【００２５】
ステップＳ３においてスイッチＳＷ３０が操作されていない場合には、ステップＳ６ではアンローディングを指示するスイッチＳＷ１０が操作されたか判定して、操作されていない場合にはステップＳ３に戻る。
【００２６】
このステップＳ３とステップＳ６のルーチンを繰り返し実行中に、ワークステーション２からの指示されたデータバックアップは、ローディング中のカートリッジ１０に書き込まれ、ログデータのバックアップ中記録状態のログはテープログ作成手段１５によって作成されてローディング中のカートリッジと対応させて記憶している。
【００２７】
ステップＳ６でスイッチＳＷ１０が操作されていると判定された場合には、先ず、ステップＳ７では、メモリ手段３２に読み出されているテープログをテープログ作成手段１５によって作成された最新のテープログで更新するアップデートを実施し、ステップＳ８では、ステップＳ７でのアップデート後のテープログをローディング中のカートリッジ１０の所定位置に書き込む。ステップＳ９では、カートリッジ１０をアンローティングしてマガジン１１の該当位置に移動させてストックする。
【００２８】
なお、この状態においてメモリ手段３２にはアンローティングしたカートリッジの最新のテープログが保存されている。
ステップＳ１で第２〜第６のスイッチＳＷ２〜ＳＷ６の何れかの操作を検出した場合も同様であって、マガジン１１の該当のストック位置からカートリッジ１０を取り出してオートローダ９にセットし、そのカートリッジ１０からテープログをメモリ手段３２に読み込んでストック位置のカートリッジ１０に対応させて記憶する。ステップＳ６においてアンローディングを検出した場合も同様である。
【００２９】
このようにしてマガジン１１の全てのカートリッジ１０のテープログをメモリ手段３２に保存した後の通常表示モードで運転中に、テープログ表示を指示するスイッチＳＷ２０が操作されことを検出した場合には、制御手段４は図８のフローチャートを実行して表示パネルＤＰの表示内容を制御している。
【００３０】
図８のステップＳ１０でスイッチＳＷ３０の操作を検出すると、表示パネルＤＰの表示は図４の表示からテープログ表示モードになって、図５（ｂ）に示すように各テープログ“Ｌｏｇ１”〜“Ｌｏｇ６”に切り替わる。
【００３１】
ここで第１のスイッチＳＷ１が操作された場合には、ステップＳ１１でこれを検出してステップＳ１２ではメモリ手段３２からテープログ“Ｌｏｇ１”が読み出されて表示される。図９は液晶表示器ＬＣＤ１〜ＬＣＤ３の表示エリアにわたってテープログを表示した具体例を示している。この図９では、“Ｔａｐｅ１”のテープロードカウント値が“７９”であることが液晶表示器ＬＣＤ２の表示エリアに表示した場合である。図７に示したステップＳ４におけるテープログ表示も同じである。
【００３２】
第２〜第６のスイッチＳＷ２〜ＳＷ６が操作された場合も同様であって、ステップＳ１３，Ｓ１５，Ｓ１７，Ｓ１９，Ｓ２１でこれを検出して、ステップＳ１４，Ｓ１６，Ｓ１８，Ｓ２０，Ｓ２２ではメモリ手段３２からテープログ“Ｌｏｇ２”〜“Ｌｏｇ６”が読み出されて表示される。
【００３３】
ステップＳ２３では、は表示終了要求があるかないか判断し終了要求があった場合にはステップＳ２４において通常表示モードのもとの処理に戻る。
このように、複数の磁気テープの全てのテープログを、磁気記録再生装置１の単独で確認できる。
【００３４】
また、近年、ラックタイプのシステムで使用される磁気記録再生装置は、１U／２Uといったサイズで規定されるため、前記表示パネルＤＰについても小さくなってしまい、６巻を１台の磁気記録再生装置で操作するオートチェンジャでは、テープログ情報を６巻分表示させるための操作を、表示パネルＤＰを見ながら、この表示パネルＤＰとは別に配置されている既存のスイッチを操作した場合には、その操作回数が多く複雑となるが、この実施の形態では、図６に示したように、揺動可能に支持された液晶表示器ＬＣＤ１〜ＬＣＤ３の背面に、操作された際の前記揺動を検出するように第１〜第６のスイッチＳＷ１〜ＳＷ６を設けているので、操作性が極めて良好である。
【００３５】
さらに、このように操作レバーに代用するために表示パネルＤＰを３つの液晶表示器ＬＣＤ１〜ＬＣＤ３に分割しているにもかかわらず、テープログのように表示データ量の多い表示内容の場合に、図９に示すように１つ以上の表示エリアの３つの表示エリアにわたって表示するように構成しているため、表示の読み取りも良好である。
【００３６】
また、上記の実施の形態では、マガジン１１をセットしてから手動でカートリッジ１０のテープログをメモリ手段３２に読み込んだが、マガジン１１のセットを検出して自動的に全てのカートリッジ１０のテープログをメモリ手段３２に読み込むこともできる。
【００３７】
また、６巻のカートリッジの場合であったので、図５（ｂ）のように液晶表示器ＬＣＤ１〜ＬＣＤ３に２つずつ割り当てて“Ｌｏｇ１”〜“Ｌｏｇ６”の文字を表示したが、液晶表示器ＬＣＤ１〜ＬＣＤ３の３つであるにもかかわらず７巻以上のカートリッジをストックできる場合には、図５（ｃ）に示すように“Ｌｏｇ１”〜“Ｌｏｇ４”と“Ｂａｃｋ”“Ｎｅｘｔ”を表示させて、“Ｌｏｇ１”〜“Ｌｏｇ４”の他のテープログを指定する場合には、“Ｂａｃｋ”または“Ｎｅｘｔ”の位置を操作して“Ｌｏｇ１”〜“Ｌｏｇ４”の表示を次の表示に入れ換えて、時々の状態を制御手段４で管理しながら図８のステップＳ１１〜ステップＳ２２を実行することによって同様に実施できる。
【００３８】
また、各カートリッジのテープログをメモリ手段３２に読み込む場合の表示パネルＤＰの表示も同様であって、マガジン１１に６巻のカートリッジの場合であったので、図４のように液晶表示器ＬＣＤ１〜ＬＣＤ３に２つずつ割り当てて“Ｔａｐｅ１”〜“Ｔａｐｅ６”の文字を表示したが、液晶表示器ＬＣＤ１〜ＬＣＤ３の３つであるにもかかわらず７巻以上のカートリッジをストックできる場合には、図５（ｃ）と同様にして“Ｔａｐｅ１”〜“Ｔａｐｅ４”と“Ｂａｃｋ”“Ｎｅｘｔ”を表示させて、“Ｔａｐｅ１”〜“Ｔａｐｅ４”の他のカートリッジを指定する場合には、“Ｂａｃｋ”または“Ｎｅｘｔ”の位置を操作して表示を次の表示に入れ換えて、時々の状態を制御手段４で管理しながら図７のステップＳ１〜ステップＳ９を実行することによって同様に実施できる。
【産業上の利用可能性】
【００３９】
データのバックアップに使用されているＤＤＳテープストレージドライブなどの磁気記録再生装置の機能向上に寄与できる。
【図面の簡単な説明】
【００４０】
【図１】本発明の磁気記録再生装置の構成図
【図２】磁気記録再生装置の外観斜視図
【図３】磁気記録再生装置のマガジンとカートリッジの外観斜視図
【図４】同実施の形態のフロントパネルの正面図
【図５】表示パネルの表示例の説明図
【図６】表示パネルを構成する液晶表示器ＬＣＤ１〜ＬＣＤ３の取り付け構造を示す正面図とＢ−Ｂ′矢視側面図とＣ−Ｃ′矢視底面図
【図７】同実施の形態のテープログ読み取り時のフローチャート図
【図８】同実施の形態のテープログ表示時のフローチャート図
【図９】同実施の形態のテープログ表示例の説明図
【符号の説明】
【００４１】
１    磁気記録再生装置
２    ワークステーション
３    通信ライン
４    制御手段
５    回転形磁気ヘッド
６    磁気テープ
７    再生手段
８    記録手段
９    オートローダ
１０    カートリッジ
１１    マガジン
１２    磁気記録再生装置の着脱口
１４    入力手段
１５    テープログ作成手段
１６    表示手段
３１    支点
ＳＷ１０    イジェクトスイッチ
ＳＷ２０    選択ボタンスイッチ
ＳＷ３０    入力ボタンスイッチ
ＤＰ    表示手段１６の表示パネル
ＳＷ１〜ＳＷ６    第１〜第６のスイッチ
ＬＣＤ１〜ＬＣＤ３    液晶表示器
【図１】
2007048341.tif 000003
【図２】
2007048341.tif 000004
【図３】
2007048341.tif 000005
【図４】
2007048341.tif 000006
【図５】
2007048341.tif 000007
【図６】
2007048341.tif 000008
【図７】
2007048341.tif 000009
【図８】
2007048341.tif 000010
【図９】
2007048341.tif 000011